(57)【要約】【課題】金融機関等から紙幣が強奪された場合に、その紙幣の流通を阻むとともにその紙幣を使用した場合の追跡を容易にする。【解決手段】塗料タンク１１と、紙幣を収容する紙幣収容機器４の外装板４２が外力により変形された場合にその変形に従動して変位し、塗料タンク１１を開栓する開栓部材１２と、塗料タンク１１の塗料を紙幣収容機器４に収容された紙幣に散布する散布部材１３とを備え、紙幣収容機器４が破壊されると即時に、塗料タンク１１を開栓し、紙幣収容機器４内の紙幣に色を付けるようにした。【選択図】  図１
2004192083.tif 000002
【特許請求の範囲】
【請求項１】
塗料を収容する塗料タンクと、
紙幣を収容する紙幣収容機器の外装が外力により変形されるとその変形に従動して変位し、塗料タンクを開栓する開栓部材と、
塗料タンクの塗料を紙幣収容機器に収容された紙幣に散布する散布部材とを備え、
紙幣収容機器が破壊されると即時に、塗料タンクを開栓し、散布部材を通じて紙幣収容機器内の紙幣に色を付けることを特徴とする紙幣盗難防止装置。
【請求項２】
塗料を収容する塗料タンクと、
紙幣を収容する紙幣収容機器の外装が外力により変形されるとその変形に従動して変位し、塗料タンクを破壊する衝打部材と、
破壊された塗料タンクの塗料を受け、紙幣収容機器に収容された紙幣に散布する散布部材とを備え、
紙幣収容機器が破壊されると即時に、塗料タンクを破壊し、散布部材を通じて紙幣収容機器内の紙幣に色を付けることを特徴とする紙幣盗難防止装置。
【請求項３】
散布部材は紙幣の縁部側に塗料を染み出す複数の散布口を形成された管体を具備する請求項１又は２に記載の紙幣盗難防止装置。
【請求項４】
塗料を収容する塗料タンクと、
紙幣を収容する紙幣収容機器の外装が外力により変形されるとその変形に従動して変位し、塗料タンクを破壊する衝打部材とを備え、
紙幣収容機器が破壊されると即時に、塗料タンクを破壊して、直接、紙幣収容機器内の紙幣に色を付けることを特徴とする紙幣盗難防止装置。
【発明の詳細な説明】
【０００１】
【発明の属する技術分野】
本発明は、自動現金払出機、金庫、現金輸送用ケースなどの紙幣収納機器に利用する紙幣盗難防止装置に関する。
【０００２】
【従来の技術】
近時、金融機関の自動現金払出機や金庫が破壊されたり、現金輸送車が襲撃されて現金輸送用ケースが奪われたり、現金を強奪する強盗事件が多発している。これに対して、金融機関などでは、監視カメラ、各種センサ、警報装置、通報装置などが設置され、監視カメラで監視が行われたり、各種センサで不法侵入者が検知されると警報が発せられたり、さらにこの緊急事態が警備会社や警察に通報されたりするなどのセキュリティ対策が講じられている。
【０００３】
また、近時の犯行は、自動現金払出機そのものを破壊したり、金庫ごと盗み取っていったり、さらに銃器を発砲したりするなど、犯行の粗暴化、凶悪化が進み、このような犯行に歯止めをかけるために、既存のセキュリティ対策の他、自動現金払出機の破壊や金庫の盗難を積極的に防止する新たな機器が提案されている。その一つに、インキ散布方式の紙幣盗難防止装置が知られている。この方式の紙幣盗難防止装置は、自動現金払出機や金庫などに併設され、強奪犯が自動現金払出機や金庫から紙幣を取り出すために、自動現金払出機や金庫を破ろうとすると、インクが吹き出され、インクが紙幣に付着するようになっている。このようにして紙幣にインクを付けることにより、紙幣の流通を阻むとともにその紙幣を使用した場合の追跡を容易にして、その結果現金強奪を実行しようとする者の犯行意思を抑止することを期待することができる（例えば、特許文献１参照）。
【０００４】
【特許文献１】
特開平６−１０８７４１号公報（第３頁、図１）
【０００５】
【発明が解決しようとする課題】
ところで、自動現金払出機や金庫の周囲に、既述のとおり、セキュリティ対策が採られていても、警備会社の警備員や警察が強奪現場に駆けつけたときには既に強盗犯は逃走していることが多く、現実的には、犯罪の摘発はかなり難しいと言わざるを得ない。したがって、紙幣盗難防止装置などの他の機器を複合的に活用して、犯罪の予防と摘発を効果的に行うことが重要である。
しかしながら、既述の紙幣盗難防止装置では、自動現金払出機や金庫を破壊しようとすると、これが異常検出手段に検出され、これに基いてインク散布手段が作動し、インクタンクのインクを紙幣に散布するようにしているが、言い換えれば、異常検出手段で異常を認識しなければ、インクは散布されないため、異常検出手段に（強盗犯の）手を加える余地が残されており、（強盗犯に）異常検出手段の機能が解除される虞があり、この点でこの種の紙幣盗難防止装置の信頼性は低下せざるを得ない。現に、この種の紙幣盗難防止装置が数多く提案されているが、実用化されているものは皆無に等しいと言っても過言ではない。
そこで、本発明は、このような従来の課題を解決し、この種の紙幣盗難防止装置において、自動現金払出機や金庫などの紙幣収容機器が破壊されると即時に、塗料を紙幣に散布して、紙幣の流通を阻むとともにその紙幣を使用した場合の追跡を容易にし、その効果の反射的効果として現金強奪を実行しようとする者の犯行意思を抑止することを目的とする。
【０００６】
【課題を解決するための手段】
上記目的を達成するために、本発明の紙幣盗難防止装置は、塗料を収容する塗料タンクと、紙幣を収容する紙幣収容機器の外装が外力により変形されるとその変形に従動して変位し、塗料タンクを開栓する開栓部材と、塗料タンクの塗料を紙幣収容機器に収容された紙幣に散布する散布部材とを備え、紙幣収容機器が破壊されると即時に、塗料タンクを開栓し、散布部材を通じて紙幣収容機器内の紙幣に色を付けるようにしたものである。
この構成により、自動現金払出機や金庫などの紙幣収容機器を破壊すると即時に、塗料を紙幣に散布することができ、現金強奪犯は自動現金払出機や金庫に収容された紙幣を塗料の色を付けることなしに取り出すことができない。
この場合、散布部材は紙幣の縁部側に塗料を染み出す複数の散布口を形成された管体を具備することが好ましい。
これにより、塗料を紙幣の縁部から確実に染み込ませて、色を付けることができる。
【０００７】
また、本発明の紙幣盗難防止装置は、塗料を収容する塗料タンクと、紙幣を収容する紙幣収容機器の外装が外力により変形されるとその変形に従動して変位し、塗料タンクを破壊する衝打部材と、破壊された塗料タンクの塗料を受け、紙幣収容機器に収容された紙幣に散布する散布部材とを備え、紙幣収容機器が破壊されると即時に、塗料タンクを破壊し、散布部材を通じて紙幣収容機器内の紙幣に色を付けるようにしたものである。
この構成により、自動現金払出機や金庫などの紙幣収容機器を破壊すると即時に、塗料を紙幣に散布することができ、現金強奪犯は自動現金払出機や金庫に収容された紙幣を塗料の色を付けることなしに取り出すことができない。
この場合、散布部材は紙幣の縁部側に塗料を染み出す複数の散布口を形成された管体を具備することが好ましい。
これにより、塗料を紙幣の縁部から確実に染み込ませて、色を付けることができる。
【０００８】
また、本発明の紙幣盗難防止装置は、塗料を収容する塗料タンクと、紙幣を収容する紙幣収容機器の外装が外力により変形されるとその変形に従動して変位し、塗料タンクを破壊する衝打部材とを備え、紙幣収容機器が破壊されると即時に、塗料タンクを破壊して、直接、紙幣収容機器内の紙幣に色を付けるようにしたものである。
この構成により、自動現金払出機や金庫などの紙幣収容機器を破壊すると即時に、塗料を紙幣に散布することができ、現金強奪犯は自動現金払出機や金庫に収容された紙幣を塗料の色を付けることなしに取り出すことができない。
【０００９】
【発明の実施の形態】
以下、図を用いて本発明の実施の形態について説明する。
（実施の形態１）
図１は本発明の第１の実施の形態を示している。図１において、紙幣盗難防止装置１は、塗料を収容する塗料タンク１１と、塗料タンク１１を開栓する開栓部材１２と、塗料タンク１１の塗料を散布する散布部材１３とを備え、これらが自動現金払出機や金庫などの紙幣収容機器４において、紙幣収納部４１の周囲に近接して組み立てられる。
【００１０】
ここで塗料タンク１１は、金属製又はプラスチック製のボトル形に形成されていて、その先端に栓１１０が装着されている。この塗料タンク１１の場合、プッシュボタン式の栓１１０が採用され、栓１１０端面のプッシュボタン１１１の押圧により栓１１０周面に形成された注入口１１２から塗料タンク１１内部の塗料が注出可能になっている。また、この栓１１０にはプッシュボタン１１１を押圧する押圧駆動装置１１３が併設されている。押圧駆動装置１１３は、プッシュボタン１１１に当接可能な筒形の押圧部材１１４と、この押圧部材１１４をプッシュボタン１１１に向けて直進的に案内する図示されないガイドと、押圧部材１１４をプッシュボタン１１１に向けて押圧付勢するコイルスプリング１１５と、押圧部材１１４をコイルスプリング１１５の圧縮によりプッシュボタン１１１に対する押圧係合位置から後退された停止位置に止める平板状のストッパ部材１１６とを具備し、押圧部材１１４をプッシュボタン１１１に対向して配置されている。
【００１１】
開栓部材１２は金属製又は硬質のプラスチック製のアーム部材又はレバー部材又はこれらの組み合わせからなり、紙幣収容機器４の外装板４２の裏面側に固着され、該外装板４２に外力が加えられて変形されるとその変形方向に従動して変位されるようになっている。この開栓部材１２の先端に既述のストッパ部材１１６が作動連結され、開栓部材１２が変位された場合に、ストッパ部材１１６が開栓部材１２に連動して、押圧部材１１４を止める停止位置から離脱されるようになっていて、このストッパ部材１１６と押圧部材１１４との係合が解除されることにより、押圧部材１１４が塗料タンク１１のプッシュボタン１１１を押圧して開栓され、塗料タンク１１の注出口１１２から塗料が放出される。
【００１２】
散布部材１３は、管組立体からなり、紙幣収容機器４内の紙幣収納部４１の側面に沿って一体的に組み付けられ、その内向きの面に紙幣の縁部に向けて塗料を散布する複数の散布口１３０を形成された複数の散布管１３１と、これらの散布管１３１と塗料タンク１１とを連結する連結管１３２とを具備する。
【００１３】
次に、この紙幣盗難防止装置１の動作について説明する。通常、紙幣収容機器４内で、塗料タンク１１は、押圧駆動装置１１３の押圧部材１１４がストッパ部材１１６により抑えられていて、栓１１０が閉止された状態になっている。非常時、すなわち強盗事件が発生したときに、強盗犯が紙幣収容機器４の外装板４２をハンマー等で強打して、その外力で外装板４２が変形すると、外装板４２裏面の開栓部材１２が外装板４２の変形方向に変位される。さらにこの開栓部材１２に連動して、ストッパ部材１１６は押圧部材１１４を止める停止位置から離脱され、ストッパ部材１１６と押圧部材１１４との係合が解除される。また、強盗犯が外装板４２をバールなどを用いてこじ開け、引き剥がそうとしても、外装板４２裏面の開栓部材１２は外装板４２の変形方向に変位され、さらにこの開栓部材１２に連動して、ストッパ部材１１６が押圧部材１１４を止める停止位置から離脱され、ストッパ部材１１６と押圧部材１１４との係合が解除される。この解除により、押圧部材１１４が塗料タンク１１のプッシュボタン１１１を押圧して、塗料タンク１１が開栓される。塗料タンク１１の注出口１１２から塗料が放出され、散布部材１３を通じて散布される。すなわち、塗料タンク１１内の塗料は連結管１３２を通じて、各散布管１３１に送られ、各散布口１３０から塗料が紙幣収納部４１の紙幣の縁部に散布され、紙幣の縁部から染み込まれていく。この間、強盗犯が紙幣収容機器４の外装板４２をハンマーで叩き続けあるいはバールで引き剥がし続け、外装板４２が破壊されたときには既に、紙幣には塗料の色が付けられている。
【００１４】
このように第１の実施の形態によれば、自動現金払出機や金庫などの紙幣収容機器４を破壊すると即時に、塗料を紙幣に散布するので、強奪犯はこの自動現金払出機や金庫に収容された紙幣を塗料の色を付けることなしに取り出すことができない。したがって、強盗犯がこの紙幣を奪っていっても、この色を付けられた紙幣を使えば、警察に追跡される証拠品となることは言うまでもなく、この紙幣の流通を阻むことができる。また、この紙幣を強行に使用すれば、警察の追跡を容易にして、犯罪の摘発に役立てることができる。そして、この効果の反射的効果として現金強奪を実行しようとする者の犯行意思を抑止することもできる。
【００１５】
（実施の形態２）
図２は本発明の第２の実施の形態を示している。図２において、紙幣盗難防止装置２は、塗料を収容する塗料タンク２１と、塗料タンク２１を破壊する衝打部材２２と、塗料タンク２１の塗料を散布する散布部材２３とを備え、これらが自動現金払出機や金庫などの紙幣収容機器４において、紙幣収納部４１の周囲に近接して組み立てられる。
【００１６】
ここで塗料タンク２１にガラス製の容器が用いられている。衝打部材２２は金属製又は硬質のプラスチック製の平板部材又はブロック部材又はこれらの組み合わせからなり、少なくとも２つの衝打部２２１を有している。この衝打部材２２は紙幣収容機器４の外装板４２の裏面側に固着され、２つの衝打部２２１が塗料タンク２１の上下に配置される。散布部材２３は、管組立体からなり、塗料タンク２１の下方に配置されて塗料を受ける皿状又はトレー状に形成され、フィルタ付きの塗料の排出口２３０を有する塗料収容部２３１と、紙幣収容機器４内の紙幣収納部４１の側面に沿って一体的に組み付けられ、その内向きの面に紙幣の縁部に向けて塗料を散布する複数の散布口２３２を形成された複数の散布管２３３と、塗料収容部２３１と各散布管２３３とを連結する連結管２３４とを有している。なお、この散布部材２３の場合、塗料収容部２３１を漏斗構造に代え、塗料の流路上に網などのフィルタを介在してもよい。
【００１７】
次に、この紙幣盗難防止装置２の動作について説明する。通常、紙幣収容機器４内で、塗料タンク２１に塗料が封入された状態になっている。非常時、すなわち強盗事件が発生したときに、強盗犯が紙幣収容機器４の外装板４２をハンマー等で強打して、その外力で外装板４２が変形すると、外装板４２裏面の衝打部材２２が外装板４２の変形方向に変位されて、上方の衝打部２２１によりタンク部材２１が衝打され、破壊される。また、強盗犯が外装板４２をバールなどを用いてこじ開け、引き剥がそうとしても、外装板４２裏面の衝打部材２２は外装板４２の変形方向に変位され、下方の衝打部２２１によりタンク部材２１が衝打され、破壊される。なお、タンク部材２１の破片は塗料収容部２３１上で受け、破片が塗料とともに流されても排出口２３０のフィルタ上に収集される。これにより、塗料タンク２１内の塗料が飛散し、これが塗料収容部２３１で受けられる。塗料は連結管２３４を通じて、各散布管２３３に送られ、各散布口２３３から紙幣収納部４１の紙幣の縁部に散布されて、塗料が紙幣の縁部から染み込まれていく。この間、強盗犯が紙幣収容機器４の外装板４２をハンマーで叩き続けあるいはバールで引き剥がし続け、外装板４２が破壊されたときには既に、紙幣には塗料の色が付けられている。
【００１８】
このようにしても、上記第１の実施の形態と同様の作用効果を奏することができる。
【００１９】
（実施の形態３）
図３は本発明の第３の実施の形態を示している。図３において、紙幣盗難防止装置３は、塗料を収容する塗料タンク３１と、塗料タンク３１を破壊する衝打部材３２とを備え、これらが自動現金払出機や金庫などの紙幣収容機器４において、紙幣収納部４１の周囲に近接して組み立てられる。
【００２０】
ここで塗料タンク３１にガラス製の容器が用いられている点、衝打部材３２は金属製又は硬質のプラスチック製の平板部材又はブロック部材又はこれらの組み合わせからなり、少なくとも２つの衝打部３２１を有していて、この衝打部材３２は紙幣収容機器４の外装板の裏面側に固着され、２つの衝打部３２１が塗料タンク３１の上下に配置される点は第２の実施の形態と同様である。また、この実施の形態では、塗料タンク３１が紙幣収容機器４内の紙幣収納部４１の紙幣の上方に配置されるだけで、特に散布部材は用いていない。
【００２１】
次に、この紙幣盗難防止装置３の動作について説明する。通常、紙幣収容機器４内で、塗料タンク３１に塗料が封入された状態になっている。非常時、すなわち強盗事件が発生したときに、強盗犯が紙幣収容機器４の外装板４２をハンマー等で強打して、その外力で外装板４２が変形すると、外装板４２裏面の衝打部材３２が外装板４２の変形方向に変位されて、上方の衝打部３２１によりタンク部材３１が衝打され、破壊される。また、強盗犯が外装板４２をバールなどを用いてこじ開け、引き剥がそうとしても、外装板４２裏面の衝打部材３２は外装板４２の変形方向に変位され、下方の衝打部３２１により塗料タンク３１が衝打され、破壊される。この塗料タンク３１の破壊により、塗料は飛散し、これが紙幣収納部４１の紙幣に上方から散布されて、塗料が紙幣の縁部から染み込まれていく。この間、強盗犯が紙幣収容機器４の外装板４２をハンマーで叩き続けあるいはバールで引き剥がし続け、外装板４２が破壊されたときには既に、紙幣には塗料の色が付けられている。
【００２２】
このようにしても、上記第１、第２の実施の形態と同様の作用効果を奏することができる。
【００２３】
なお、上記各実施の形態では、紙幣盗難防止装置１、２、３として、一つの装置構成のみを例示しているが、紙幣収容機器４内部に複数の紙幣盗難防止装置を設置してもよく、この場合、紙幣収容機器４の外装板４２のうち、ハンマーやバールなどで破壊されやすい外装板４２に対応して紙幣盗難防止装置を設置する。また、一つの塗料タンクに対して複数の開栓部材や衝打部材をリンクさせてもよい。
【００２４】
【発明の効果】
以上説明したように、本発明の紙幣盗難防止装置によれば、自動現金払出機や金庫などの紙幣収容機器を破壊すると即時に、塗料を紙幣に散布するので、現金強奪犯は自動現金払出機や金庫などに収容された紙幣を塗料の色を付けることなしに取り出すことができない。したがって、強奪された紙幣の流通を確実に阻むことができるとともに、その紙幣を使用した場合の追跡を容易にして犯罪の摘発に役立てることができ、さらにその効果の反射的効果として現金強奪を実行しようとする者の犯行意思を抑止することができる。
【図面の簡単な説明】
【図１】本発明の第１の実施の形態における紙幣盗難防止装置の概略構成を示す斜視図
【図２】本発明の第２の実施の形態における紙幣盗難防止装置の概略構成を示す斜視図
【図３】本発明の第３の実施の形態における紙幣盗難防止装置の概略構成を示す斜視図
【符号の説明】
（実施の形態１）
１  紙幣盗難防止装置
１１  塗料タンク
１１０  栓
１１１  プッシュボタン
１１２  注入口
１１３  押圧駆動装置
１１４  押圧部材
１１５  コイルスプリング
１１６  のストッパ部材
１２  開栓部材
１３  散布部材
１３０  散布口
１３１  散布管
１３２  連結管
４  紙幣収容機器
４１  紙幣収納部
４２  外装板
（実施の形態２）
２  紙幣盗難防止装置
２１  塗料タンク
２２  衝打部材
２２１  衝打部
２３  散布部材
２３０  フィルタ付きの塗料の排出口
２３１  塗料収容部
２３２  散布口
２３３  散布管
２３４  連結管
４  紙幣収容機器
４１  紙幣収納部
４２  外装板
（実施の形態３）
３  紙幣盗難防止装置
３１  塗料タンク
３２  衝打部材
３２１  衝打部
４  紙幣収容機器
４１  紙幣収納部
４２  外装板
【図１】
2004192083.tif 000003
【図２】
2004192083.tif 000004
【図３】
2004192083.tif 000005